(57)【要約】【課題】固定手段を用いることなく、広い足場領域を簡単に確保すると共に、容易に移動設置可能にした仮設用足場を提供する。【解決手段】垂直又は傾斜状に配設される複数の支柱１１と、これら支柱１１に連結具を介して互いに平行に仮設される２本の水平パイプ１３ａ，１３ｂとからなる足場基部１０と、足場基部１０に着脱可能に装着されるブラケット２０（２０Ａ）を介して横架される足場板３０とを具備する。ブラケット２０は、２本の水平パイプ１３ａ，１３ｂの上方から挿入されて一方の水平パイプ１３ａの側部に着脱自在に係合する二又状の第１の係合溝２１（２１Ａ）と、他方の水平パイプ１３ｂの上部側に着脱自在に係合する略逆Ｕ字状の第２の係合溝２２とからなる係合部２３と、係合部２３から側方に延在する水平部２６の上面に形成される足場板３０の載置部２７と、載置部２７に足場板３０を挟持固定する挟持固定手段４０とを具備する。【選択図】  図２
2004257053.tif 000002
【特許請求の範囲】
【請求項１】
垂直又は傾斜状に配設される複数の支柱と、これら支柱に連結具を介して互いに平行に架設される２本の水平パイプとからなる足場基部と、この足場基部に着脱可能に装着されるブラケットを介して横架される足場板とを具備する仮設用足場であって、
上記ブラケットは、上記２本の水平パイプの上方から挿入されて一方の水平パイプの側部に着脱自在に係合する二又状の第１の係合溝と、他方の水平パイプの上部側に着脱自在に係合する略逆Ｕ字状の第２の係合溝とからなる係合部を具備すると共に、係合部から側方に延在する水平部の上面に形成される足場板の載置部を具備し、かつ、上記載置部に足場板を挟持固定する挟持固定手段を具備することを特徴とする仮設用足場。
【請求項２】
請求項１記載の仮設用足場において、
上記ブラケットの載置部の載置面を、水平パイプの上端位置より下方側に位置させ、この載置部に載置される足場板の上面と水平パイプの上端とを略同一平面上に位置させるように形成してなることを特徴とする仮設用足場。
【請求項３】
請求項１又は２記載の仮設用足場において、
上記ブラケットの水平部に手摺支柱を立設保持する支柱取付部を更に設けてなることを特徴とする仮設用足場。
【請求項４】
請求項１ないし３のいずれかに記載の仮設用足場において、
上記挟持固定手段は、載置部の上面に対峙する一対のアングル状挟持部材と、各挟持部材に垂下されてそれぞれ載置部に設けられる透孔を貫通する固定ボルトと、上記載置部の下方に突出する固定ボルトに螺合する固定ナットとを具備し、この際、上記透孔の少なくとも一方の透孔を他方の透孔側に向かって延在する長孔状に形成して、両挟持部材を互いに接離移動可能に形成してなることを特徴とする仮設用足場。
【請求項５】
請求項１ないし３のいずれかに記載の架設用足場において、
上記挟持固定手段は、載置部の上面に対峙すると共に、相対的に接離移動可能な一対のアングル状挟持部材と、これら挟持部材に設けられた水平片及び垂直片をそれぞれ足場板の側部上面及び側面に係合させた状態に固定保持する固定保持部材とを具備することを特徴とする仮設用足場。
【請求項６】
請求項５記載の仮設用足場において、
上記アングル状挟持部材の水平片を、垂直片に対して垂直方向に移動可能に形成すると共に、固定部材によって固定可能に形成してなることを特徴とする仮設用足場。
【請求項７】
請求項１ないし６のいずれかに記載の仮設用足場において、
上記ブラケットの係合部における第２の係合溝の開口縁部に、水平パイプに係脱可能に係合するストッパ機構を更に具備してなることを特徴とする仮設用足場。
【発明の詳細な説明】
【０００１】
【発明の属する技術分野】
この発明は、仮設用足場に関するもので、更に詳細には、例えば、建物の壁部の構築、壁面の外装や改修等に使用される仮設用足場に関するものである。
【０００２】
【従来の技術】
従来、この種の仮設用足場として、地上に立設される複数の支柱と、これら支柱に連結具を介して互いに平行に架設される２本の水平パイプとからなるパイプ足場が知られている。このパイプ足場によれば、足場板を省略して簡単に組み立てることができるという効果が得られる（例えば、特許文献１参照）。
【０００３】
また、別のこの種の仮設用足場として、地上に立設される支柱に支柱取付体を取付固定し、この支柱取付体に突設されるブラケット上に足場板を載置する足場が知られている（例えば、特許文献２参照）。
【０００４】
【特許文献１】
特開２００１−１６４７４５（特許請求の範囲、段落番号０００６，０００７、図１）
【０００５】
【特許文献２】
特開２００１−１１５６４３（特許請求の範囲、段落番号０００２，００１７，００１８、図１、図５）
【０００６】
【発明が解決しようとする課題】
ところで、前者すなわち特開２００１−１６４７４５に記載のパイプ足場においては、隙間をおいて平行に設けられた２本の水平パイプによって足場を構成するため、足場の領域を広くすることができず、作業者に不安感を与える虞があるばかりか、建築部材等を仮置きすることができないため、作業効率が低下するという問題があった。これに対して、後者すなわち特開２００１−１１５６４３に記載の技術によれば、支柱に取付固定されるブラケットを介して足場板を載置するため、前者に比べて足場領域を広くして作業の安定及び作業効率の向上が図れる。しかしながら、後者のものは、足場板を載置するブラケットが支柱に対して取付固定されているため、足場を取外す場合や移動する場合、ブラケットの取付固定を解除しなければならないため、足場の設置や取外しに手間がかかるという問題があった。また、足場を移動する場合は、一人の作業者が行うことができず、しかも、支柱のある場所にブラケットを再び取付固定するため移動場所は限られてしまうという問題もあった。
【０００７】
この発明は上記事情に鑑みてなされたもので、固定手段を用いることなく、広い足場領域を簡単に確保すると共に、容易に移動設置可能にした仮設用足場を提供することを目的とするものである。
【０００８】
【課題を解決するための手段】
上記目的を達成するために、この発明に係る仮設用足場は、垂直又は傾斜状に配設される複数の支柱と、これら支柱に連結具を介して互いに平行に架設される２本の水平パイプとからなる足場基部と、この足場基部に着脱可能に装着されるブラケットを介して横架される足場板とを具備する仮設用足場を前提とし、上記ブラケットは、上記２本の水平パイプの上方から挿入されて一方の水平パイプの側部に着脱自在に係合する二又状の第１の係合溝と、他方の水平パイプの上部側に着脱自在に係合する略逆Ｕ字状の第２の係合溝とからなる係合部を具備すると共に、係合部から側方に延在する水平部の上面に形成される足場板の載置部を具備し、この載置部に足場板を挟持固定する挟持固定手段を具備することを特徴とする（請求項１）。
【０００９】
この発明において、上記ブラケットの載置部の載置面を、水平パイプの上端位置より下方側に位置させ、この載置部に載置される足場板の上面と水平パイプの上端とを略同一平面上に位置させるように形成する方が好ましい（請求項２）。
【００１０】
また、上記ブラケットの水平部に手摺支柱を立設保持する支柱取付部を更に設けることも可能である（請求項３）。
【００１１】
また、上記挟持固定手段は、ブラケットの載置部に足場板を挟持固定するものであれば任意の構造であってもよく、例えば、上記挟持固定手段は、載置部の上面に対峙する一対のアングル状挟持部材と、各挟持部材に垂下されてそれぞれ載置部に設けられる透孔を貫通する固定ボルトと、上記載置部の下方に突出する固定ボルトに螺合する固定ナットとを具備し、この際、上記透孔の少なくとも一方の透孔を他方の透孔側に向かって延在する長孔状に形成して、両挟持部材を互いに接離移動可能に形成してもよい（請求項４）。この構造のものに代えて、上記挟持固定手段を、載置部の上面に対峙すると共に、相対的に接離移動可能な一対のアングル状挟持部材と、これら挟持部材に設けられた水平片及び垂直片をそれぞれ足場板の側部上面及び側面に係合させた状態に固定保持する固定保持部材とを具備する構造としてもよい（請求項５）。
【００１２】
上記固定保持部材は両挟持部材を足場板の側部の上面及び側面に係合させた状態に固定保持するものであれば任意のものでよく、例えば両挟持部材を近接する方向に弾性力（弾発力）を付勢するばね部材にて形成してもよく、あるいは、両挟持部材を接離方向に移動して近接位置を保持するバックル部材にて固定保持部材を形成することができる。この場合、上記アングル状挟持部材の水平片を、垂直片に対して垂直方向に移動可能に形成すると共に、固定部材によって固定可能に形成する方が好ましい（請求項６）。
【００１３】
加えて、上記ブラケットの係合部における第２の係合溝の開口縁部に、水平パイプに係脱可能に係合するストッパ機構を更に具備するようにしてもよい（請求項７）。
【００１４】
請求項１記載の発明によれば、足場板を挟持固定したブラケットを、足場基部を構成する２本の水平パイプの上方から挿入して、二又状の第１の係合溝を一方の水平パイプの側部に着脱自在に係合すると共に、略逆Ｕ字状の第２の係合溝を他方の水平パイプの上部側に着脱自在に係合することにより、固定手段を用いることなく、足場基部の任意の箇所に足場板を簡単かつ確実に取り付けることができ、足場の領域を容易に広げることができる。また、一人の作業者によって簡単に取り外して別の箇所に移動することができる。
【００１５】
請求項２記載の発明によれば、ブラケットの載置部の載置面を、水平パイプの上端位置より下方側に位置させ、この載置部に載置される足場板の上面と水平パイプの上端とを略同一平面上に位置させるように形成することにより、足場基部と足場板との間に段差をなくすことができるので、作業者が躓く虞がなく、作業の安全性を図ることができると共に、作業性の向上を図ることができる。
【００１６】
請求項３記載の発明によれば、ブラケットの水平部に手摺支柱を立設保持する支柱取付部を設けることにより、足場板に沿わせて手摺を取り付けることができる。したがって、作業者は、転落の危険に晒されることがなく、また、手摺を掴んだり、手摺で体を支えた状態で作業することができるので、作業の安全性を図ることができると共に、作業性の向上を図ることができる。
【００１７】
請求項４記載の発明によれば、挟持固定手段は、載置部の上面に対峙する一対のアングル状挟持部材と、各挟持部材に垂下されてそれぞれ載置部に設けられる透孔を貫通する固定ボルトと、載置部の下方に突出する固定ボルトに螺合する固定ナットとを具備し、この際、透孔の少なくとも一方の透孔を他方の透孔側に向かって延在する長孔状に形成して、両挟持部材を互いに接離移動可能に形成することにより、幅及び厚さの異なる足場板を、ブラケットに容易かつ確実に挟持固定することができる。
【００１８】
請求項５記載の発明によれば、挟持固定手段は、載置部の上面に対峙すると共に、相対的に接離移動可能な一対のアングル状挟持部材と、これら挟持部材に設けられた水平片及び垂直片をそれぞれ足場板の側部上面及び側面に係合させた状態に固定保持する固定保持部材とを具備することにより、幅の異なる足場板を、ブラケットに容易かつ確実に挟持固定することができる。この場合、アングル状挟持部材の水平片を、垂直片に対して垂直方向に移動可能に形成すると共に、固定部材によって固定可能に形成することにより、更に高さの異なる足場板を、ブラケットに容易かつ確実に挟持固定することができる（請求項６）。
【００１９】
請求項７記載の発明によれば、ブラケットの係合部における第２の係合溝の開口縁部に、水平パイプに係脱可能に係合するストッパ機構を設けることにより、足場板の下方に風圧等を受けた場合においても、ブラケットが水平パイプから脱落する心配がない。したがって、更に強固かつ確実に足場板を設置することができる。
【００２０】
【発明の実施の形態】
以下に、この発明の仮設用足場の実施形態について、添付図面に基づいて詳細に説明する。
【００２１】
図１は、この発明に係る仮設用足場の使用状態の一例を示す概略斜視図、図２は、この発明の第一実施形態の仮設用足場の取付状態を示す側面図（ａ）、（ａ）の側面図（ｂ）及び（ａ）のＩ部を示す拡大断面図（ｃ）、図３は、第一実施形態の仮設用足場の取付状態を示す平面図、図４は、第一実施形態の仮設用足場の取付状態を示す斜視図である。
【００２２】
上記第一実施形態の仮設用足場１は、建物２の壁部３の改修や外装に使用されるもので、地上に立設される垂直状の複数の支柱１１と、これら支柱１１に連結具例えばクランプ１２を介して互いに平行に架設される２本の水平パイプ１３ａ，１３ｂとからなる足場基部１０と、この足場基部１０に着脱可能に装着されるブラケット２０を介して横架される足場板３０とで主に構成されている。
【００２３】
第一実施形態におけるブラケット２０は、足場基部１０を構成する２本の水平パイプ１３ａ，１３ｂの上方から挿入されて一方の水平パイプ１３ａの側部に着脱自在に係合する二又状の第１の係合溝２１と、他方の水平パイプ１３ｂの上部側に着脱自在に係合する略逆Ｕ字状の第２の係合溝２２とからなる係合部２３を具備している。この場合、第１の係合溝２１を形成する二又部２４の先端の角部は円弧状に形成されており、下方の二又部２４の下端面と第２の係合溝２２に連なる連結面２５は滑らかな円弧状に形成されている。このように、二又部２４の先端の角部を円弧状に形成すると共に、下方の二又部２４の下端面と第２の係合溝２２に連なる連結面２５を滑らかな円弧状に形成することにより、ブラケット２０の係合部２３（第１の係合溝２１、第２の係合溝２２）と水平パイプ１３ａ，１３ｂとの係脱を円滑にすることができる。なお、第２の係合溝２２の円弧部に、水平パイプ１３ｂの上部半分に係合可能な略半円弧状の鍔部２２ａを突設してもよい。このように、第２の係合溝２２の円弧部に、水平パイプ１３ｂの上部半分に係合する鍔部２２ａを突設することにより、ブラケット２０の横振れを防止することができる。
【００２４】
また、ブラケット２０は、係合部２３から側方に延在する水平部２６の上面に直角状に折曲形成される足場板３０の載置部２７を具備し、かつ、載置部２７に足場板３０を挟持固定する挟持固定手段４０を具備している。この場合、水平部２６は、係合部２３との間に段部２８を介して側方に延在しており、ブラケット２０の載置部２７の載置面２７ａが、水平パイプ１３ａ，１３ｂの上端位置より下方側に位置されている。このように、ブラケット２０の載置部２７の載置面２７ａを、水平パイプ１３ａ，１３ｂの上端位置より下方側に位置させることによって、載置部２７に載置される足場板３０の上面と水平パイプ１３ａ，１３ｂの上端とを略同一平面上に位置させることができ、足場基部１０と足場板３０との間の段差を可及的に小さくすることができる。
【００２５】
上記挟持固定手段４０は、図２に示すように、載置部２７の上面に対峙する一対のアングル状挟持部材４１（以下に、挟持部材４１という）と、各挟持部材４１に垂下されてそれぞれ載置部２７に設けられる透孔２９ａ，２９ｂを貫通する固定ボルト４２と、載置部２７の下方に突出する固定ボルト４２に螺合する固定ナット４３とで主に構成されている。この場合、透孔２９ａ，２９ｂのうちの少なくとも一方、例えばブラケット２０の先端側の透孔２９ｂは、他方の透孔２９ａ側に向かって延在する長孔状に形成されて、両挟持部材４１が互いに接離移動可能に形成されている。なお、挟持部材４１は、足場板３０の側部の側面に係合する垂直片４４と、この垂直片４４の上端から直角に折曲されて足場板３０の側部上面に係合する水平片４５とを具備しており、載置部２７の幅より若干広く形成されている。また、垂直片４４の下端縁の中間部には、両端に一対の垂下片４６を残して切欠部４７が形成されている（図２（ｂ），（ｃ）参照）。このように、挟持部材４１の垂直片４４の下端縁に、一対の垂下片４６を残して切欠部４７を設けることにより、載置部２７を跨いで挟持部材４１を配設することができ、垂下片４６によって挟持部材４１が水平方向に不用意に回転するのを防止することができる。
【００２６】
上記のように構成される挟持固定手段４０は、足場板３０の長手方向の両端側に配置されて、足場板３０をブラケット２０に挟持固定する。足場板３０をブラケット２０に挟持固定するには、まず、両挟持部材４１を足場板３０の幅より広げた位置に配設した状態で、足場板３０の一側部を下方に傾けて、一方の挟持部材４１例えば係合部２３側の挟持部材４１の水平片４５と垂直片４６の内側に挿入した後、他側部を載置部２７の載置面２７ａ上に載置する。次に、他方すなわち先端側の挟持部材４１を足場板３０の側部まで移動する。そして、載置部２７の下方に突出する固定ボルト４２に螺合されている固定ナット４３を締め付けて、足場板３０をブラケット２０に挟持固定する。
【００２７】
上記足場板３０は、例えばアルミニウム合金製の押出形材にて形成されており、図２に示すように、矩形状表面板部３１の下面における両側及び中間部にそれぞれ補強用リブ３２を突設してなり、表面板部３１には、多数の滑り止め突起３３が散点状にが形成されている。なお、足場板３０は、上記構造以外に例えば板状部材にて形成されるものであってもよい。
【００２８】
上記のように構成される仮設用足場１を組み立てるには、まず、地上に適宜間隔例えば約２ｍ間隔で複数の支柱１１を立設する。次に、支柱１１の適宜高さ位置にクランプ１２を取り付けて２本の水平パイプ１３ａ，１３ｂを互いに平行な状態に架設して足場基部１０を形成する。
【００２９】
一方、足場板３０の長手方向の両端部にブラケット２０を配置し、上述したようにして、挟持部材４１の水平片４５及び垂直片４４を足場板３０の側部上面及び側面に係合させた状態で、載置部２７の下方に突出する固定ボルト４２に螺合する固定ナット４３を締め付けてブラケット２０に足場板３０を挟持固定する。
【００３０】
足場板３０を挟持固定したブラケット２０を、足場板３０側を持ち上げた状態で、２本の水平パイプ１３ａ，１３ｂの上方から挿入して、二又状の第１の係合溝２１を一方の水平パイプ１３ａの側部に係合すると共に、略逆Ｕ字状の第２の係合溝２２を他方の水平パイプ１３ｂの上部側に係合することにより、足場板３０はブラケット２０を介して水平に設置される。この状態において、水平パイプ１３ａ，１３ｂの上端部と足場板３０の上面が略同一面上に位置するので、足場基部１０と足場板３０との間の段差を可及的に小さくすることができる。
【００３１】
上記のようにして、足場基部１０を構成する２本の水平パイプ１３ａ，１３ｂに足場板３０を簡単かつ確実に設置する（取り付ける）ことができ、足場基部１０を構成する２本の水平パイプ１３ａ，１３ｂと足場板３０とで足場領域を形成することができる。なお、この場合、ブラケット２０は、水平パイプ１３ａ，１３ｂの任意の位置に係合させることができるが、足場板３０に加わる荷重を考慮して、水平パイプ１３ａ，１３ｂにおける支柱１１の近傍位置に係合させる方が好ましい。また、足場領域を更に拡大する場合には、図１〜図３に示すように、先に設置した足場板３０と反対側に、上述と同様に、別の足場板３０を設置すればよい。これにより、更に足場領域すなわち作業領域を拡大することができるので、作業の安全性及び作業効率の向上が図れる。
【００３２】
足場板３０を取り外す場合は、足場板３０側を持ち上げた状態で、ブラケット２０を斜め上方に移動することにより、係合部２３（第１の係合溝２１、第２の係合溝２２）と水平パイプ１３ａ，１３ｂとの係合が解かれるので、足場板３０を足場基部１０から取り外すことができる。また、取り外した足場板３０を別の位置に設置するには、上述と同様にして、水平パイプ１３ａ，１３ｂの任意の位置にブラケット２０の係合部２３（第１の係合溝２１、第２の係合溝２２）を係合させて足場板３０を設置することができる。したがって、一人の作業者によって足場板３０を簡単かつ確実に設置することができると共に、取り外しあるいは別の設置場所に移動することができる。
【００３３】
次に、この発明の第二実施形態の仮設用足場１Ａについて説明する。第二実施形態の仮設用足場１Ａは、建物２の屋根部４の改装や外装に使用されるもので、地上に立設された垂直状の支柱１１に連結具例えばクランプ１４を介して傾斜状に配設される複数の傾斜状支柱１１Ａと、これら傾斜状支柱１１Ａに連結具例えばクランプ１６を介して互いに平行に架設される２本の水平パイプ１３ａ，１３ｂとからなる足場基部１０Ａと、この足場基部１０Ａに着脱可能に装着されるブラケット２０Ａを介して横架される足場板３０とで主に構成されている。
【００３４】
第二実施形態のブラケット２０Ａは、（１）第一実施形態のブラケット２０に対して、第１の係合溝２１Ａを長く形成した点、（２）水平部２６の先端部に手摺８の支柱５を立設保持する支柱取付部５０を設けた点、及び（３）第２の係合溝２２の開口縁部に、水平パイプ１３ｂに係脱可能に係合するストッパ機構６０を具備する点が相違する以外は、第一実施形態と同じであるので、同一部分には同一符号を付して説明は省略する。
【００３５】
第１の係合溝２１Ａが、第一実施形態のブラケット２０の第１の係合溝２１に比べて長く形成した理由は、支柱１１Ａが傾斜状に配設されており、該支柱１１Ａに連結される２本の水平パイプ１３ａ，１３ｂ間の間隔ＳＡが、垂直の支柱１１に連結される２本の水平パイプ１３ａ，１３ｂ間の間隔Ｓより長い場合においても、第１の係合溝２１Ａと水平パイプ１３ａとの係合が十分に行えるようにしたためである。
【００３６】
また、ブラケット２０Ａの水平部２６の先端部に設けられる支柱取付部５０は、パイプ部材にて形成される手摺支柱５の外周部の半部を把持する半円筒状の把持半体５１と、ヒンジピン５３によって把持半体５１に揺動自在に枢着されて、手摺支柱５の外周部の残りの半部を把持する半円筒状の可動把持半体５２と、把持半体５１の自由端部に図示しない枢支ピンによって一端部が揺動可能に枢着される固定ボルト５４と、可動把持半体５２の自由端部に突設された案内溝５５付きフランジ部５６とを具備している。このように構成される支柱取付部５０は、把持半体５１と可動把持半体５２とで手摺支柱５の下端部を把持した状態で、固定ボルト５４をフランジ部５６に設けられた案内溝５５内に挿入し、案内溝５５から突出する固定ボルト５４に螺合する固定ナット５７を締め付けることにより、手摺支柱５を立設保持することができる（図５〜図７参照）。なお、手摺支柱５の上端部には手摺取付用クランプ６を介して手摺本体（笠木）７が架設されて手摺８が形成される。なお、手摺８が不要の場合は、支柱取付部５０には手摺支柱５を取り付けないで使用する。
【００３７】
上記ストッパ機構６０は、ブラケット２０Ａに設けられた第２の係合溝２２の開口縁部の近傍部位から側方に突設される枢支ピン６１と、この枢支ピン６１に係合する、互いに連続するロック孔部６２ａとロック解除孔部６２ｂとからなる係合孔６２を有する略三日月状のロック片６３と、ブラケット２０Ａの側面に突設され、ロック片６３がロック解除方向に移動するのを阻止するストッパ部６４とを具備している（図５参照）。このように構成されるストッパ機構６０によれば、図５に示すように、係合孔６２の上部側に位置するロック孔部６２ａを枢支ピン６１に係合させると、ロック片６３が水平パイプ１３ｂの下端部の一側面に係合する。この状態で、ロック片６３が水平パイプ１３ｂから離れる方向に移動（揺動）しようとすると、ロック片６３がストッパ部６４に衝突してロック片６３の移動（揺動）が規制される。したがって、ロック状態が維持される。また、ロック状態を解除する場合は、ロック片６３を上方に持ち上げてロック解除孔部６２ｂを枢支ピン６１に係合させてロック片６３の回転（揺動）中心を変えることにより、ロック片６３と水平パイプ１３ｂとの係合（ロック）を解除することができる。なお、ここでは、ストッパ部６４をブラケット２０Ａの側面に突設させているが、載置部２７を延長させてストッパ部を形成してもよい。
【００３８】
次に、第二実施形態のブラケット２０Ａを用いて仮設用足場を組み立てる場合の一例について説明する。まず、地上に適宜間隔例えば約２ｍ間隔で立設された複数の支柱１１にクランプ１４を介して傾斜状に支柱１１Ａを配設する。この際、傾斜状に配設された傾斜状支柱１１Ａの先端部同士をクランプ１５によって連結する。次に、傾斜状支柱１１Ａにクランプ１６を取り付けて２本の水平パイプ１３ａ，１３ｂを互いに平行な状態に架設して足場基部１０Ａを形成する。
【００３９】
一方、足場板３０の長手方向の両端部にブラケット２０Ａを配置し、上述したようにして、挟持部材４１の水平片４５及び垂直片４４を足場板３０の側部上面及び側面に係合させた状態で、載置部２７の下方に突出する固定ボルト４２に螺合する固定ナット４３を締め付けてブラケット２０Ａに足場板３０を挟持固定する。また、支柱取付部５０に手摺支柱５の下端部を固定保持し、手摺支柱５の上端部に手摺取付用クランプ６を介して手摺本体（笠木）７を架設して手摺８を組み付ける。
【００４０】
次に、足場板３０を挟持固定したブラケット２０Ａを、足場板３０側を持ち上げた状態で、２本の水平パイプ１３ａ，１３ｂの上方から挿入して、二又状の第１の係合溝２１Ａを一方の水平パイプ１３ａの側部に係合すると共に、略逆Ｕ字状の第２の係合溝２２を他方の水平パイプ１３ｂの上部側に係合することにより、足場板３０はブラケット２０Ａを介して水平に設置される。この際、ストッパ機構６０のロック片６３のロック孔部６２ａを枢支ピン６１に係合させて、ロック片６３を水平パイプ１３ｂの下端部の一側面に係合する。これにより、水平パイプ１３ａ，１３ｂの上端部と足場板３０の上面が略同一面上に位置するので、足場基部１０Ａと足場板３０との間の段差を可及的に小さくすることができる。また、ストッパ機構６０のロック片６３が水平パイプ１３ｂに係合しているので、足場板３０の設置を強固かつ確実にすることができる。したがって、足場板３０の下方に風圧等がかかっても足場板３０が脱落する心配はない。
【００４１】
また、足場領域を更に拡大する場合には、図１，図６及び図７に示すように、先に設置した足場板３０と反対側に、上述と同様に、別の足場板３０を設置すればよい。これにより、更に足場領域すなわち作業領域を拡大することができるので、作業の安全性及び作業効率の向上が図れる。
【００４２】
足場板３０を取り外す場合は、第一実施形態と同様に行うことができるので、一人の作業者によって足場板３０を簡単かつ確実に設置することができると共に、取外しあるいは別の設置場所に移動することができる。
【００４３】
上記実施形態では、挟持固定手段４０が、載置部２７の上面に対峙する一対のアングル状の挟持部材４１と、各挟持部材４１に垂下されてそれぞれ載置部２７に設けられる透孔２９ａ，２９ｂを貫通する固定ボルト４２と、載置部２７の下方に突出する固定ボルト４２に螺合する固定ナット４３とを具備する場合について説明したが、挟持固定手段４０は、必ずしもこのような構造のものに限定されるものではない。足場板３０の厚さが規格によって一定である場合には、例えば、図８に示すように、載置部２７の上面に対峙して相対的に接離移動可能な一対のアングル状挟持部材４１Ａ，４１Ｂ（以下に挟持部材４１Ａ，４１Ｂという）と、これら挟持部材４１Ａ，４１Ｂに設けられた水平片４５及び垂直片４４をそれぞれ足場板３０の側部上面及び側面に係合させた状態に固定保持する固定保持部材例えば引張りばね７０を具備する構造の挟持固定手段４０Ａとしてもよい。
【００４４】
上記挟持部材４１Ａ，４１Ｂは、足場板３０の側部の側面に位置する垂直片４４と、この垂直片４４の上端から直角に折曲されて足場板３０の側部上面に係合する水平片４５と、垂直片４４の下端から上記水平片４５と反対の方向へ直角に折曲されて載置部２７の上面に載置される下部水平片４８Ａとを具備する。一方すなわち係合部２３側の挟持部材４１Ａは、下部水平片４８Ａが載置部２７の上面に例えば溶接等によって固定される。他方すなわち先端側の挟持部材４１Ｂは、下部水平片４８Ｂの下面に載置部２７に設けられる透孔２９ｃを貫通するばね係合ピン７１が突設されている。この場合、透孔２９ｃは載置部２７の先端側から係合部２３側に向かって延在する長孔状に形成され、載置部２７の先端側の挟持部材４１Ｂが係合部２３側の挟持部材４１Ａに対して接離移動可能に形成されている。また、載置部２７の下面の略中央部には、ばね係止突起７２が突設されており、このばね係止突起７２と挟持部材４１Ｂのばね係合ピン７１に、挟持部材４１Ｂを常に係合部２３側に引張る力を付勢する引張りばね７０が張設されている。したがって、先端側の挟持部材４１Ｂが常に係合部２３側に引き寄せられた状態となる。なお、両挟持部材４１Ａ，４１Ｂの垂直片４４の内面には足場板３０と挟持部材４１Ａ，４１Ｂとの挟持固定を強固にするために滑り止め用ゴム７３が接着されている。
【００４５】
次に、上記のように構成される挟持固定手段４０Ａを用いてブラケット２０Ａに足場板３０を挟持固定する場合について説明する。まず、挟持部材４１Ｂを引張りばね７０の引張り力（弾発力）に抗して挟持部材４１Ａから離れた状態すなわち挟持部材４１Ａと４１Ｂとの距離が足場板３０の幅より広い状態にする。この状態で足場板３０を傾けて下方側の一端部を挟持部材４１Ａの水平片４５の下方へ挿入した後、足場板３０の上方側の他端部を載置部２７の載置面２７ａ上に載置する。その後、挟持部材４１Ｂから手を離すと、引張りばね７０の引張り力（弾発力）によって挟持部材４１Ｂの水平片４５及び垂直片４４が足場板３０の側部上面及び側面に係合されて、足場板３０がブラケット２０Ａの載置部２７に挟持固定される。
【００４６】
なお、足場板３０をブラケット２０Ａから取り外す場合は、引張りばね７０の引張り力（弾発力）に抗して挟持部材４１Ｂを挟持部材４１Ａから離して足場板３０との係合状態を解除した後、取り外すことができる。
【００４７】
なお、上記説明では、ブラケット２０Ａに挟持固定手段４０Ａを装着した場合について説明したが、ブラケット２０においても同様に挟持固定手段４０Ａを装着することができる。
【００４８】
上記挟持固定手段４０Ａは、足場板３０の厚さが一定である場合について好適である。足場板３０の厚さが異なる場合には、図９に示すように、両挟持部材４１Ａ，４１Ｂに高さ調節機構を具備する挟持固定手段４０Ｂを用いる。この場合、挟持固定手段４０Ｂを構成する両挟持部材４１Ａ，４１Ｂは、足場板３０の側面に係合する高さ調節可能な上部挟持部材８０と、足場板３０の側面に係合する下部挟持部材８１と、両挟持部材８０，８１を高さ調節可能に固定する調節ボルト８２とで主に構成されている。この場合、上部挟持部材８０は、足場板３０の側部上面に係合する上部水平片８３と、この上部水平片８３の一端に折曲される垂下片８４とからなる略アングル状に形成されている。また、下部挟持部材８１は、足場板３０の側部に係合する垂直片８５と、この垂直片８５の下端から外方側すなわち対向する挟持部材４１Ａ，４１Ｂの対向面と反対側に折曲される下部水平片８６とからなる略アングル状に形成されている。また、調節ボルト８２は、上部挟持部材８０の垂下片８４に穿設された垂直方向に沿う長孔８７内に貫挿し、下部挟持部材８１の垂下片８５に設けられたねじ孔８８に螺合するように構成されている（図９（ｂ）参照）。なお、図９に示す挟持固定手段４０Ｂにおけるその他の部分は、図８に示す挟持固定手段４０Ａと同じであるので、同一部分には同一符号を付して説明は省略する。
【００４９】
上記のように構成される高さ調節機構を具備する挟持固定手段４０Ｂを用いることにより、厚さの異なる足場板３０を、図８に示した引張りばね７０にて固定保持部材を形成したブラケット２０Ａ（２０）と同様に簡単に挟持固定することができると共に、簡単に取り外すことができる。
【００５０】
次に、更に別の挟持固定手段４０Ｃを用いた実施形態について説明する（図１０参照）。この実施形態の挟持固定手段４０Ｃは、図９に示す挟持固定手段４０Ｂの引張りばね７０に代えて、幅調節可能なバックル式の固定保持部材９０を用いた場合である。
【００５１】
固定保持部材９０は、ブラケット２０（２０Ａ）の載置部２７の下面に装着されるバックル９１と、挟持部材４１Ｂの下部垂直片８５の下端に延在される脚片９２に装着される調節ボルト９３と、調節ボルト９３の一端に装着されるフック部９４とを具備している。この場合、バックル９１は、載置部２７の下面に取り付けられる基部９１ａと、この基部９１ａの一端側に回動可能に取り付けられるレバー９１ｂと、このレバー９１ｂに穿設された取付孔９１ｃに一端が取り付けられ、他端が上記フック部９４に係合可能な係止環９１ｄとで構成されている。また、調節ボルト９３は、挟持部材４１Ｂの脚片９２に設けられた貫通孔（図示せず）を貫通すると共に、貫通孔の両端側に固着されたナット９５に螺合されて、水平方向の長さすなわち両挟持部材４１Ａ，４１Ｂ間の寸法が調節可能になっている。
【００５２】
なお、図１０において、その他の部分は図９に示した実施形態と同じであるので、同一部分には同一符号を付して、説明は省略する。
【００５３】
上記のように構成される固定保持部材９０を用いて足場板３０をブラケット２０（２０Ａ）に挟持固定するには、まず、取り付ける足場板３０の寸法に合わせて調節ボルト９３の長さを調節する。次に、図１０に二点鎖線で示すように、バックル９１の係止環９１ｄとフック部９４との係合を解除した状態で、先端側の挟持部材４１Ｂを挟持部材４１Ａから離して足場板３０の幅より広げた位置に配設する。この状態で、足場板３０の一側部を下方に傾けて、挟持部材４１Ａの上部水平片８３と下部垂直片８５の内側に挿入した後、他側部を載置部２７の載置面２７ａ上に載置する。次に、他方すなわち先端側の挟持部材４１Ｂを足場板３０の側部まで移動する。そして、バックル９１の係止環９１ｄをフック部９４に係合した状態でレバー９１ｂを基部９１ａの上面に沿う位置まで回動すると、挟持部材４１Ｂが挟持部材４１Ａ側へ引き寄せられて、足場板３０がブラケット２０（２０Ａ）に挟持固定される。
【００５４】
【発明の効果】
以上に詳述したように、この発明によれば、上記のように構成されているので、以下のような優れた効果が得られる。
【００５５】
（１）請求項１記載の発明によれば、足場板を挟持固定したブラケットを、足場基部を構成する２本の水平パイプの上方から挿入して、二又状の第１の係合溝を一方の水平パイプの側部に着脱自在に係合すると共に、略逆Ｕ字状の第２の係合溝を他方の水平パイプの上部側に着脱自在に係合するので、固定手段を用いることなく、足場基部の任意の箇所に足場板を簡単かつ確実に取り付けることができ、足場の領域を容易に広げることができる。また、一人の作業者によって簡単に取り外して別の箇所に移動することができる。したがって、作業の安全性を図ることができると共に、作業性の向上を図ることができる。
【００５６】
（２）請求項２記載の発明によれば、ブラケットの載置部の載置面を、水平パイプの上端位置より下方側に位置させ、この載置部に載置される足場板の上面と水平パイプの上端とを略同一平面上に位置させるように形成することにより、足場基部と足場板との間に段差をなくすことができるので、作業者が躓く虞がなく、上記（１）に加えて更に作業の安全性を図ることができると共に、作業性の向上を図ることができる。
【００５７】
（３）請求項３記載の発明によれば、ブラケットの水平部に手摺支柱を立設保持する支柱取付部を設けることにより、足場板に沿わせて手摺を取り付けることができるので、作業者は、転落の危険に晒されることがなく、また、手摺を掴んだり、手摺で体を支えた状態で作業することができる。したがって、上記（１）、（２）に加えて更に作業の安全性を図ることができると共に、作業性の向上を図ることができる。
【００５８】
（４）請求項４記載の発明によれば、挟持固定手段は、載置部の上面に対峙する一対のアングル状挟持部材と、各挟持部材に垂下されてそれぞれ載置部に設けられる透孔を貫通する固定ボルトと、載置部の下方に突出する固定ボルトに螺合する固定ナットとを具備し、この際、透孔の少なくとも一方の透孔を他方の透孔側に向かって延在する長孔状に形成して、両挟持部材を互いに接離移動可能に形成することにより、幅及び厚さの異なる足場板を、ブラケットに容易かつ確実に挟持固定することができる。したがって、上記（１）〜（３）に加えて更に異なる寸法の足場板を使用することができる。
【００５９】
（５）請求項５記載の発明によれば、挟持固定手段は、載置部の上面に対峙すると共に、相対的に接離移動可能な一対のアングル状挟持部材と、これら挟持部材に設けられた水平片及び垂直片をそれぞれ足場板の側部上面及び側面に係合させた状態に固定保持する固定保持部材とを具備することにより、幅の異なる足場板を、ブラケットに容易かつ確実に挟持固定することができるので、上記（１）〜（３）に加えて更に異なる寸法の足場板を使用することができる。この場合、アングル状挟持部材の水平片を、垂直片に対して垂直方向に移動可能に形成すると共に、固定部材によって固定可能に形成することにより、更に高さの異なる足場板を、ブラケットに容易かつ確実に挟持固定することができる（請求項６）。
【００６０】
（６）請求項７記載の発明によれば、ブラケットの係合部における第２の係合溝の開口縁部に、水平パイプに係脱可能に係合するストッパ機構を設けることにより、足場板の下方に風圧等を受けた場合においても、ブラケットが水平パイプから脱落する心配がない。したがって、上記（１）〜（５）に加えて更に強固かつ確実に足場板を設置することができる。
【図面の簡単な説明】
【図１】この発明に係る仮設用足場の使用状態を示す概略斜視図である。
【図２】この発明の第一実施形態の仮設用足場の取付状態を示す側面図（ａ）、（ａ）の側面図（ｂ）及び（ａ）のＩ部を示す拡大断面図である。
【図３】第一実施形態の仮設用足場の取付状態を示す平面図である。
【図４】第一実施形態の仮設用足場の取付状態を示す斜視図である。
【図５】この発明の第二実施形態の仮設用足場の取付状態を示す側面図（ａ）、（ａ）の側面図（ｂ）である。
【図６】第二実施形態の仮設用足場の取付状態を示す平面図である。
【図７】第二実施形態の仮設用足場の取付状態を示す斜視図である。
【図８】この発明に係る仮設用足場の挟持固定手段の別の実施形態を示す側面図である。
【図９】上記挟持固定手段の更に別の実施形態の要部を示す側面図（ａ）及び（ａ）のＩＩ部拡大断面図（ｂ）である。
【図１０】上記挟持固定手段の更に別の実施形態を示す側面図である。
【符号の説明】
１，１Ａ  仮設用足場
５  手摺支柱
１０，１０Ａ  足場基部
１３ａ，１３ｂ  水平パイプ
２０，２０Ａ  ブラケット
２１，２１Ａ  第１の係合溝
２２  第２の係合溝
２３  係合部
２６  水平部
２７  載置部
２７ａ  載置面
２９ａ，２９ｂ，２９ｃ  透孔
３０  足場板
４０，４０Ａ  挟持固定手段
４１，４１Ａ，４１Ｂ  挟持部材（アングル状挟持部材）
４２  固定ボルト
４３  固定ナット
４４  垂直片
４５  水平片
５０  支柱取付部
６０  ストッパ機構
７０  引張りばね（固定保持部材）
８０  上部挟持部材
８１  下部挟持部材
８２  調節ボルト
９０  バックル式固定保持部材
【図１】
2004257053.tif 000003
【図２】
2004257053.tif 000004
【図３】
2004257053.tif 000005
【図４】
2004257053.tif 000006
【図５】
2004257053.tif 000007
【図６】
2004257053.tif 000008
【図７】
2004257053.tif 000009
【図８】
2004257053.tif 000010
【図９】
2004257053.tif 000011
【図１０】
2004257053.tif 000012